(57)【要約】      （修正有）【課題】間接活線作業中に、電力供給が停止すると警報を発する装置を得る。【解決手段】内部に制御回路部５を収納した弧状アーム部６を有する本体１と、弧状アーム部の先端面に配置した電線受け具２と、弧状アーム部の基端部に揺動自在に枢着された重錘３と、本体の先端寄り部分にその中間部を揺動自在に枢支している操作片４とを具備した高圧間接活線用無充電警報器である。前記電線受け具と弧状アーム部との対向面間を電線収容空間８に形成し、この電線収容空間に対応する本体の内部に制御回路部を収容し、前記操作片での揺動支点の一方に位置する側を前記電線収容空間に出退する円弧状受け止め部９に形成するとともに、操作片での揺動支点の他方に位置する側を絶縁操作具で把持するリング状係着部12に形成してある。【選択図】図１
2011182546.tif 000002
【特許請求の範囲】
【請求項１】
弧状アーム部(６)を有する本体(１)と、弧状アーム部(６)の先端面に配置した電線受け具(２)と、弧状アーム部(６)の基端部に揺動自在に枢着された重錘(３)と、本体(１)の先端寄り部分にその中間部を揺動自在に枢支している操作片(４)とを具備し、前記電線受け具(２)と弧状アーム部(６)との対向面間を電線収容空間(８)に形成し、この電線収容空間(８)に対応する本体(１)の内部に制御回路部(５)を収容し、前記操作片(４)での揺動支点の一方に位置する側を前記電線収容空間(８)に出退する円弧状受け止め部(９)に形成するとともに、操作片(４)での他方に位置する側を絶縁操作具(13)で把持するリング状係着部(12)に形成したことを特徴といる高圧間接活線用無充電警報器。
【請求項２】
電線受け具(２)を接続している本体(１)の弧状アーム部(６)における先端面の延長上に重錘(３)の枢支軸心を通る面が位置している請求項１に記載の高圧間接活線用無充電警報器。
【請求項３】
弧状アーム部(６)と対向する電線受け具(２)の対向面が中央部が外側に膨出している山形に形成してある請求項１または２に記載の高圧間接活線用無充電警報器。
【発明の詳細な説明】
【技術分野】
【０００１】
本発明は、通電状態にある配電線(活線)に対して非接触で作業を行う間接活線作業時での配電線の状態を監視する間接活線用無充電警報器に関し、高圧架空配電線での活線作業に使用する高圧間接活線用無充電警報器に関する。
【背景技術】
【０００２】
従来、高圧活線作業を行う場合、間接活線作業用工具が用いられている。作業者はこの間接活線作業工具である絶縁ヤットコならびに絶縁操作棒を使用して、縁切り・縁接続作業や、バイパス機材取付作業、変圧器リード線接続作業等を活線に対して非接触の状態で作業している。
【０００３】
このような間接活線作業には、直接作業に使用する基本工具および先端工具に加えて、、活線の状態を監視する間接活線用無充電警報器を使用している。この間接活線用無充電警報器としては、作業中に電力供給が停止すると警報を発するように構成してあり、従来例えば、図６に示すものが提供されている。
【０００４】
この間接活線用無充電警報器は、一対のアーム部材(50a)(50b)が中途部で相互に回動可能に軸着され、そのアーム部材(50a)(50b)の軸支部(51)の一方を湾曲状の挟持腕(52a)(52b)とするとともに、軸支部(51)の他方を操作片(53a)(53b)とし、対向している挟持腕(52a)(52b)の内面同士間の間隙を高圧架空配電線(54)の挿通空間(55)としているとともに、この一対のアーム部材(50a)(50b)を挟持腕(52a)(52b)同士が閉止する方向に弾性付勢し、一方の挟持腕(52a)の内部に制御回路部(56)を収容してあった。なお、図６中符号(57)は、他方の挟持腕(52b)の内面に装着したスポンジゴム等で形成した高圧架空配電線誘導押さえ体である。
【発明の概要】
【発明が解決しようとする課題】
【０００５】
前述の間接活線用無充電警報器は、操作片(53a)(53b)を絶縁ヤットコ等の絶縁操作具で掴み、一対の挟持腕(52a)(52b)を閉止弾発力に抗して開き作動させて高圧架空配電線に吊掛け、あるいは高圧架空配電線から外すようになっていた。このため、特に、高圧架空配電線に装着されているこの間接活線用無充電警報器を取り外す場合には、高圧架空配電線に吊り掛けられている間接活線用無充電警報器が揺れてその姿勢が安定しないこと、長尺の絶縁操作具を用いて一対のアーム部材でクリップ状に形成されている操作片(53a)(53b)を把持しなくてはならないこと、等が重畳して、作業性に劣るという問題があった。
【０００６】
また、間接活線用無充電警報器が高圧架空配電線に装着されている場合には、風や高圧架空配電線の揺れ、あるいは張設されている高圧架空配電線に生じる高低差により、間接活線用無充電警報器が容易に移動しやすいという問題もあった。
【０００７】
本発明は、このような点に着目してなされたもので、間接活線作業での作業性のよい高圧間接活線用無充電警報器を提供することを目的とする。
【課題を解決するための手段】
【０００８】
上述の目的を達成するために、請求項１に記載の本発明は、弧状アーム部を有する本体と、前記弧状アーム部の先端面に配置した電線受け具と、前記弧状アーム部の基端部に揺動自在に枢着された重錘と、本体の先端寄り部分にその中間部を揺動自在に枢支している操作片とを具備し、前記電線受け具と弧状アーム部との対向面間を電線収容空間に形成し、この電線収容空間に対応する本体の内部に無充電警報器を収容し、前記操作片の揺動支点の一方側を前記電線収容空間に出退する円弧状受け止め部に形成するとともに、操作片の他方側を絶縁操作具で把持するリング状係着部に形成したことを特徴としている。
【発明の効果】
【０００９】
本発明では、弧状アーム部を有する本体と、その本体の先端面に装着した電線受け具と、本体の先端寄り部分にその中間部を揺動自在に枢支している操作片と、弧状アーム部の基端部に揺動自在に枢着された重錘とを有し、電線受け具と弧状アーム部との対向面間を操作片の揺動支点の一方側を前記電線収容空間に出退する円弧状受け止め部に形成に形成し、操作片の揺動支点の一方側を前記電線収容空間に出退する円弧状受け止め部に形成してあることから、前記電線収容空間に取り込んだ高圧架空配電線(高圧電線)を電線受け具の内面と弧状アーム部の内面および円弧状受け止め部の少なくとも３点で保持することになり高圧架空配電線方向への移動を抑制できるうえ、弧状アーム部の基端部に重錘が揺動自在な状態で枢着されていることから、本体自体も横揺れすることなく安定姿勢を保持することができる。この結果、操作片の他方側に設けたリング状係着部を絶縁操作具で簡単確実に把持することができる。
【図面の簡単な説明】
【００１０】
【図１】本発明の一実施形態を示す全体正面図である。
【図２】図１に示す実施形態での右側面図である。
【図３】図１に示す実施形態の分解状態での全体正面図である。
【図４】本発明の一実施形態の高圧架空配電線把持状態での全体正面図である。
【図５】高圧架空配電線への装着作業手順を示す斜視図である。
【図６】従来の間接活線用無充電警報器を示す正面図である。
【発明を実施するための形態】
【００１１】
この間接活線用無充電警報器は、本体(１)と、この本体(１)の先端面に配置した電線受け具(２)と、本体(１)の基端寄り部分に揺動自在に枢着された重錘(３)と、本体(１)の先端寄り部分にその中間部を揺動自在に枢支している操作片(４)および、本体(１)の内部に配置した制御回路部(５)とで構成してある。
【００１２】
本体(１)は、弧状アーム部(６)とハンドル部(７)とを一体に形成した月鎌状にポリプロピレン等の合成樹脂で形成してあり、弧状アーム部(６)からハンドル部(７)への切換わり部分、すなわち、弧状アーム部(６)の基端部に前記重錘(３)が揺動自在に枢着してある。また、遊端側となる弧状アーム部(６)の先端面に前記電線受け具(２)が固定してあり、さらに、弧状アーム部(６)の内側弧状面(６ａ)に金属板が張設してある。
【００１３】
前記電線受け具(２)は、ステンレス鋼などの金属板で構成してあり、本体(１)への取り付け部(２ａ)と、その下端部から重錘(３)の設置側に連出したフック部(２ｂ)とで構成されている。このフック部(２ｂ)は弧状アーム部(６)から離れる側に突出する山形に形成してあり、このフック部(２ｂ)と弧状アーム部(６)の内側弧状面(６ａ)とで構成される空間が電線収容空間(８)となっている。なお、電線受け具(２)の取り付け部(２ａ)は、重錘(３)の枢支軸心を通る垂直面上に位置している。
【００１４】
操作片(４)は、一対の円弧状受け止め部(９)とこの円弧状受け止め部(９)の一端部から連出した押え部(10)を所定間隔隔てて対置させた枠状に形成した枠体部分(11)と、この枠体部分(11)での押え部(10)の先端部に固定した円形のリング状係着部(12)とで構成してある。そして、この操作片(４)は、枠体部分(11)を前記本体(１)の前後側壁部分に位置させ、円弧状受け止め部(９)と押え部(10)との接続部分で揺動自在に枢支してある。
【００１５】
また、操作片(４)のリング状係着部(12)は押え部(10)の揺動先端部に、押え部(10)の長手方向軸に対して、円弧状受け止め部(９)の円弧張出方向側に傾く状態で固定してある。このため、リング状係着部(12)を不支持の状態にすると、図４に示すように、操作片(４)は円弧状受け止め部(９)が電線収容空間(８)側に進出する方向に自重で揺動することになる。
【００１６】
なお、制御回路部(５)は、本体(１)における操作片(４)の揺動枢支部近傍、すなわち、弧状アーム部(６)での上寄り部分の本体内部に収納配置されている。したがって、この制御回路部(５)は電線収容空間(８)に対応して位置することになる。
【００１７】
上述の構成からなる間接活線用無充電警報器は、図５に示す手順で高圧架空配電線(Ｃ)に装着・離脱させることになる。
すなわち、装着作業時には、絶縁ヤットコ等の絶縁操作具(13)で操作片(４)のリング状係着部(12)を把持して持ち上げると、図５(Ａ)に示すように、重錘(３)を含む本体(１)の重量で操作片(４)の円弧状受け止め部(９)が電線収容空間(８)から退避する姿勢となり、電線収容空間(８)の下方が大きく開口することになるから、高圧架空配電線(Ｃ)に対して間接活線用無充電警報器を安定した姿勢で上から装着できることになる。
【００１８】
ついで、電線収容空間(８)に高圧架空配電線(Ｃ)を取り込んだ状態で絶縁操作具(13)を下方に移動させると、図５(Ｂ)に示すように、本体(１)は重錘(３)を含む重量の影響で安定した垂下姿勢を維持することになり、操作片(４)はその重心の影響で、円弧状受け止め部(９)が電線収容空間(８)の下側に進出する姿勢となる。
【００１９】
さらに、絶縁操作具(13)を操作片(４)のリング状係着部(12)から外すと、図５(Ｃ)に示すように、操作片(４)の円弧状受け止め部(９)が電線収容空間(８)の下側で高圧架空配電線(Ｃ)を支持するとともに、電線受け具(２)の山形フック部(２ａ)の２面、並びに弧状アーム部(６)の内面とで確りと高圧架空配電線(Ｃ)を保持することになる。
【００２０】
これにより、間接活線用無充電警報器を高圧架空配電線(Ｃ)に対して、揺れや高圧架空配電線に沿っての移動を抑制した状態で確りと保持することができる。
【００２１】
間接活線作業終了後に高圧架空配電線(Ｃ)から間接活線用無充電警報器を離脱させる場合には、図５(Ｃ)状態から、絶縁操作具(13)でリング状係着部(12)を把持して持ち上げると、操作片(４)の円弧状受け止め部(９)が電線収容空間(８)から退避方向に移動し(図５Ｂ)、絶縁操作具(13)をさらに持ちあげることにより、電線収容空間(８)の下側が大きく開口することになるから(図５Ａ)、絶縁操作具(13)をさらに持ち上げることにより、間接活線用無充電警報器を高圧架空配電線(Ｃ)から離脱させることができる。
【００２２】
この離脱作業の開始時には、間接活線用無充電警報器は高圧架空配電線(Ｃ)に確りと保持されていることから、揺れや高圧架空配電線上での移動のない安定した状態で垂下姿勢を維持しているので、リング状係着部(12)を絶縁操作具(13)で容易に把持できることになる。
【００２３】
なお、上記実施形態では、リング状係着部(12)を円形リングで形成したものについて述べたが、リング状係着部(12)の形状は、長径が押え部(10)の長手方向と一致する楕円リングや長円リング、あるいは、一つの頂角が押え部(10)の長手方向での延長線上に位置する多角形リングであってもよい。
【産業上の利用可能性】
【００２４】
本発明は、高圧架空配電線での活線作業に好適である。
【符号の説明】
【００２５】
１…本体、２…電線受け具、３…重錘、４…操作片、５…制御回路部、６…弧状アーム部、８…電線収容空間、９…円弧状受け止め部、12…リング状係着部、13…絶縁操作具。
【図１】
2011182546.tif 000003
【図２】
2011182546.tif 000004
【図３】
2011182546.tif 000005
【図４】
2011182546.tif 000006
【図５】
2011182546.tif 000007
【図６】
2011182546.tif 000008